(57)【特許請求の範囲】
【請求項１】
パイプ状のフレームと、
上記フレーム外周面に設けられたリールシートと、
上記リールシート前端に螺着する筒状のフロントグリップと、
上記パイプ状のフレーム前端に挿入されたロッドとを備え、
上記フロントグリップを上記リールシート側にねじ込むことにより、上記フロントグリップ後端のフードを上記リールシート上のリールに係合させて当該リールを固定する構成とした釣り竿であって、
上記フロントグリップの前端に挿設されて、上記フロントグリップの前端を構成するリング部材を備え、
上記リールシート前端から上記フレームを突出させておき、又は、上記ロッドの外周面にパイプ状部材を設けておき、上記フロントグリップを上記リールシート側にねじ込んだ状態で、上記フレームの突出部分又は上記パイプ状部材によって上記リング部材の内径部分が支持される構成としたことを特徴とする釣り竿。
【発明の詳細な説明】
【０００１】
【発明の属する技術分野】
本発明は、リールシートにリールを固定するようにした釣り竿に関する。
【０００２】
【従来の技術】
図１５には、従来の釣り竿の一構成例を示す。リアグリップ１０１前端にはリール１０２を取り付けるためのリールシート１０３が連設され、リールシート１０３前端にロッド１０５が挿入されている。リールシート１０３前端外周面にはフロントグリップ１０４が螺着するためのネジ部１０３ａが形成されている。
【０００３】
フロントグリップ１０４は、内周面にリールシート１０３のネジ部１０３ａに対応するネジ部が形成された筒体１０７と、筒体１０７の外周面を覆うフロントグリップ体１０８と、筒体１０７及びフロントグリップ体１０８後端面に連設されたフード１０９とを備えている。
【０００４】
このように構成された釣り竿では、リール１０２を固定する場合、後側の脚１０２Ｒをリールシート１０３に形成された孔に挿入してリール１０２をリールシート１０３上に搭載する。そして、フロントグリップ１０４をリールシート１０３側にねじ込むと（図中矢印Ｘ）、フロントグリップ１０４後端のフード１０９がリール１０２の前側の脚１０２Ｆを覆うようにして係合するので、リール１０２をリールシート１０３上に固定することができる。
【０００５】
【発明が解決しようとする課題】
上記従来例の釣り竿では、フロントグリップ１０４後端のフード１０９がリール１０２の前側の脚１０２Ｆに係合した後に、リール１０２をしっかりと固定するために更にフロントグリップ１０４をねじ込むと、フロントグリップ１０４には図中矢印Ｒに示すような力が作用する。そのため、図１６に示すように、ロッド１０５に対してフロントグリップ１０４が偏心することがあった。
【０００６】
また、図１６に示すように、ロッド１０５とフロントグリップ１０４前端開口との間には隙間１０６が形成されるため、ロッド１０５に荷重が作用すると、ロッド１０５がフロントグリップ１０４に対して偏心することがあった。
【０００７】
上記のようにロッド１０５とフロントグリップ１０４とが偏心すると、フロントグリップ１０４前端に金属製のリング部材等がある場合に、ロッド１０５がフロントグリップ１０４前端開口端に接触してしまい、キズがつくおそれがある。
【０００８】
また、図１５に示すように、従来のフロントグリップ１０４では、筒体１０７及びフロントグリップ１０８後端面にフード１０９が連設されており、その接続部分に水が入り込む等のおそれがある。
【０００９】
本発明は上記のような点に鑑みてなされたものであり、釣り竿のフロントグリップまわりの性能を向上させることを目的とし、具体的には、ロッドとフロントグリップとが偏心するのを防ぐ。
【００１０】
【課題を解決するための手段】
本発明の釣り竿は、パイプ状のフレームと、上記フレーム外周面に設けられたリールシートと、上記リールシート前端に螺着する筒状のフロントグリップと、上記パイプ状のフレーム前端に挿入されたロッドとを備え、上記フロントグリップを上記リールシート側にねじ込むことにより、上記フロントグリップ後端のフードを上記リールシート上のリールに係合させて当該リールを固定する構成とした釣り竿であって、上記フロントグリップの前端に挿設されて、上記フロントグリップの前端を構成するリング部材を備え、上記リールシート前端から上記フレームを突出させておき、又は、上記ロッドの外周面にパイプ状部材を設けておき、上記フロントグリップを上記リールシート側にねじ込んだ状態で、上記フレームの突出部分又は上記パイプ状部材によって上記リング部材の内径部分が支持される構成とした点に特徴を有する。
【００１１】
【発明の実施の形態】
以下、図面を参照して、本発明の釣り竿の好適な実施の形態について説明する。
【００１２】
（第１の実施の形態）
以下、図１〜７を参照して、第１の実施の形態の釣り竿を説明する。図１、２に示すように、パイプ状のフレーム１外周面にリアグリップ２が設けられている。リアグリップ２はユーザが握る部分であり、その素材としてはコルク、ＥＶＡゴム（発泡ゴム）、カーボン、金属、ウレタン等が用いられる。リアグリップ２の後端には全体のバランスをとるためのおもりとしての役目も果たすエンドキャップ３が設けられている。
【００１３】
また、フレーム１外周面には上記リアグリップ２前端に連なるようにリールシート４が設けられている。リールシート４はリール１０２を取り付けるためのものであり、その素材としてはガラス混合樹脂等が用いられる。リールシート４前端外周面には後述する筒状のフロントグリップ５が螺着するためのネジ部４ａが形成されている。図１、２に示すリールシート４は、指を掛けるためのトリガーハンドル４ｂが一体形成されたタイプである。
【００１４】
図３〜５を参照して、フロントグリップ５について説明する。フロントグリップ５では、図３に示すように、筒体６の外周面をフロントグリップ体８で覆う構成とされている。筒体６の内周面にはリールシート４のネジ部４ａに対応するネジ部が形成されている。フロントグリップ体８の素材としては上記リアグリップ２と同様にコルク、ＥＶＡゴム、カーボン、金属、ウレタン等が用いられる。
【００１５】
また、筒体６後端の外周面には金属製のリング部材９がフロントグリップ体８後端に連なるよう設けられている。リング部材９は、フロントグリップ体８端面を覆う外径を有する第１リング部９ａと、第１リング部９ａよりも外径の小さな第２リング部９ｂとを有する形状とされている（図４参照）。
【００１６】
そして、筒体６及びリング部材９後端面にはフード７が接着等により接続されている。
【００１７】
また、筒体６前端開口にはリング部材１２が設けられている。リング部材１２は、筒体６前端開口に挿入するための挿入部１２ａを有するとともに、外周面がテーパ状にされている（図５参照）。このリング部材１２の内径ｒは、フレーム１の外径と略同径とされている。
【００１８】
このようにしたフロントグリップ５では、フロントグリップ体８とフード７との間にリング部材９が配設されているので、フロントグリップ体８とフード７との間に水が入り込むのを防ぐウォータプルーフ効果を得ることができ、材質劣化等を防ぐことができる。なお、ウォータプルーフ効果を発揮するリング部材９の形状はどのようなものでもよく、例えば、図７に示すように軸方向に長くしてもよい。
【００１９】
ここで、図１、２に示すように、リールシート４前端からはフレーム１が所定長さだけ突出する（図１、２中符号１ａ参照）。そして、このフレーム１前端にロッド１０（ブランクス）が挿入されている。
【００２０】
フレーム１前端には金属製のリング部材１１が同軸上に連設されている。このリング部材１１はフレーム１の内周面とロッド１０の外周面との間に水等が入り込まないようにするためのものである。
【００２１】
上記のように構成した釣り竿では、リール１０２を固定する場合、図１に示すように、後側の脚１０２Ｒをリールシート４に形成された孔に挿入してリール１０２をリールシート４上に搭載する。そして、フロントグリップ５をリールシート４側にねじ込むと（図中矢印Ｘ）、図２、６に示すように、フロントグリップ５後端のフード７がリール１０２の前側の脚１０２Ｆを覆うようにして係合するので、リール１０２をリールシート４上に固定することができる。
【００２２】
以上述べた実施の形態の釣り竿では、上記のようにリール１０２をリールシート４上に固定した状態で、図２に示すように、フレーム１前端部分がフロントグリップ５前端のリング部材１２内に位置する。上述したようにリング部材１２の内径はフレーム１の外径と略同径とされているので、フロントグリップ５の前端内側であるリング部材１２の内径部分がフレーム１の前端部分に重なることになり、フロントグリップ５の前部が内側からフレーム１により支持される。したがって、リール１０２をしっかりと固定するために更にフロントグリップ５をねじ込んで、フロントグリップ５に図１中矢印Ｒに示すような力が作用した場合でも、ロッド１０に対してフロントグリップ５が偏心するのを防ぐことができる。
【００２３】
また、ロッド１０に荷重が作用したときにも、ロッド１０がフロントグリップ５に対して偏心するのを防ぐことができる。
【００２４】
上記のようにロッド１０とフロントグリップ５とが偏心するのを防ぐことができるので、ロッド１０がフロントグリップ５前端のリング部材１２に接触するようなおそれがない。
【００２５】
さらに、見た目においても、ロッド１０とフロントグリップ５前端のリング部材１２との間にフレーム１前端のリング部材１１が位置するので、重量感を与えることができ、リング部材１２、１１の色や材質を異ならせる等により特徴的なデザインを有する釣り竿を提供することができる。
【００２６】
さらにまた、フレーム１を突出させた分だけロッド１０をしっかりと支持することができるので、ロッド１０基端の剛性を高めて、ロッド１０の耐久性を向上させるとともに、グリップ側の力をダイレクトにロッド１０側に伝えることができる。
【００２７】
なお、上記実施の形態において示した各部の形状及び構造は、何れも本発明を実施するにあたっての具体化のほんの一例を示したものに過ぎず、これらによって本発明の技術的範囲が限定的に解釈されてはならない。すなわち、本発明はその精神、又はその主要な特徴から逸脱することなく、様々な形で実施することができる。
【００２８】
図８〜１４を参照して、上記実施の形態のようにフロントグリップ５をリールシート４側にねじ込んだ状態でフロントグリップ５の前部が内側から支持される構成とした釣り竿の他の構成例を説明する。以下では、図１〜７で説明した釣り竿との相違点を中心に説明するとともに、既に説明した構成要素には同一の符号を付し、その詳細な説明は省略する。
【００２９】
図８、９に示すのは、リールシート４前端からフレーム１を突出させるとともに、ロッド１０の外周面にパイプ状部材２３を設けた例である。パイプ状部材２３はフレーム１と同径で、フレーム１前端に連設されている。なお、パイプ状部材２３前端には金属製のリング部材１１が同軸上に連設されており、パイプ状部材２３の内周面とロッド１０の外周面との間に水等が入り込まないようにしている。
【００３０】
図８、９に示す構成とした釣り竿においても、フロントグリップ５をリールシート４側にねじ込むと、フロントグリップ５後端のフード７がリール１０２の前側の脚１０２Ｆを覆うようにして係合するので、リール１０２をリールシート４上に固定することができる。この状態で、パイプ状部材２３がフロントグリップ５前端のリング部材１２内に位置して、フロントグリップ５の前端内側であるリング部材１２の内径部分がパイプ状部材２３により支持される。すなわち、フロントグリップ５の前部が内側からパイプ状部材２３により支持され、ロッド１０とフロントグリップ５とが偏心するのを防ぐことができる。
【００３１】
図１０、１１に示すのは、リールシート４前端からフレーム１を突出させず、ロッド１０の外周面にパイプ状部材２４を設けた例である。パイプ状部材２４はロッド１０に対して僅かな段差２４ａが生じる程度の薄肉形状とされ、フレーム１前端に連設されている。一方、フロントグリップ５において、筒体６前端開口に設けられたリング部材１２の内径は、パイプ状部材２４の外径と略同径とされている。
【００３２】
図１０、１１に示す構成とした釣り竿においても、フロントグリップ５をリールシート４側にねじ込むと、フロントグリップ５後端のフード７がリール１０２の前側の脚１０２Ｆを覆うようにして係合するので、リール１０２をリールシート４上に固定することができる。この状態で、パイプ状部材２４がフロントグリップ５前端のリング部材１２内に位置して、フロントグリップ５の前端内側であるリング部材１２の内径部分がパイプ状部材２４により支持される。すなわち、フロントグリップ５の前部が内側からパイプ状部材２４により支持され、ロッド１０とフロントグリップ５とが偏心するのを防ぐことができる。
【００３３】
図１２〜１４に示すのは、フロントグリップ５の前部内側にリング状部材２５を同軸上に設けた例である。リング状部材２５は、フロントグリップ５の筒体６内径と略同じ外径を有するとともに、ロッド１０の外径と略同じ内径を有する（図１４参照）。リング状部材２５の素材としては、ロッド１０と摺動することからロッド１０にキズがつかないようにする等を考慮してＥＶＡゴム等が用いられる。一方、リールシート４前端からフレーム１を突出させたり、フレーム１前端にパイプ状部材２３、２４を連設したりしていない。
【００３４】
図１２〜１４に示す構成とした釣り竿においても、フロントグリップ５をリールシート４側にねじ込むと、フロントグリップ５後端のフード７がリール１０２の前側の脚１０２Ｆを覆うようにして係合するので、リール１０２をリールシート４上に固定することができる。このとき、フロントグリップ５の前部内側のリング状部材２５はロッド１０外周面を摺動するので、フロントグリップ５の前端内側であるリング状部材２５の内径部分がロッド１０により支持される。すなわち、フロントグリップ５の前部が内側からロッド１０により支持され、ロッド１０とフロントグリップ５とが偏心するのを防ぐことができる。
【００３５】
【発明の効果】
以上説明したように本発明によれば、フロントグリップをリールシート側にねじ込んだ状態で、フレームの突出部分又はパイプ状部材によってリング部材の内径部分が支持される構成としたので、ロッドとフロントグリップとが偏心するのを防ぐことができる。
【図面の簡単な説明】
【図１】  第１の実施の形態の釣り竿の一部側面図である。
【図２】  第１の実施の形態の釣り竿の一部側面図である。
【図３】  フロントグリップ５の側面図である。
【図４】  リング部材９の斜視図である。
【図５】  リング部材１２の斜視図である。
【図６】  第１の実施の形態の釣り竿の一部斜視図である。
【図７】  リング部材９の他の例を示す図である。
【図８】  他の例の釣り竿の一部側面図である。
【図９】  他の例の釣り竿の一部側面図である。
【図１０】  他の例の釣り竿の一部側面図である。
【図１１】  他の例の釣り竿の一部側面図である。
【図１２】  他の例の釣り竿の一部側面図である。
【図１３】  他の例の釣り竿の一部側面図である。
【図１４】  リング状部材の斜視図である。
【図１５】  従来の釣り竿の一部側面図である。
【図１６】  従来の釣り竿の一部斜視図である。
【符号の説明】
１    フレーム
４    リールシート
４ａ  ネジ部
５    フロントグリップ
７    フード
８    フロントグリップ体
９    リング部材
１０  ロッド
【図１】
0004068388.tif 000002
【図２】
0004068388.tif 000003
【図３】
0004068388.tif 000004
【図４】
0004068388.tif 000005
【図５】
0004068388.tif 000006
【図６】
0004068388.tif 000007
【図７】
0004068388.tif 000008
【図８】
0004068388.tif 000009
【図９】
0004068388.tif 000010
【図１０】
0004068388.tif 000011
【図１１】
0004068388.tif 000012
【図１２】
0004068388.tif 000013
【図１３】
0004068388.tif 000014
【図１４】
0004068388.tif 000015
【図１５】
0004068388.tif 000016
【図１６】
0004068388.tif 000017